(57)【要約】【課題】圧縮機の振動によって、圧縮機用電装箱のがたつきまたは外れることを防止し、圧縮機用電装箱が容易に外れない構造にすることによって、圧縮機の耐振動性の高い圧縮機用電装箱を提供することを目的としている。【解決手段】圧縮機１００に通電するターミナルピン１０２と圧縮機１００を駆動する駆動回路１３０と圧縮機１００の温度を検出する温度検出手段１３８と前記圧縮機１００に通電するターミナルピン１０２と駆動回路１３０とを接続するクラスター部１３２とを有する圧縮機用電装箱であって、電装箱１２２をブラケット１２０に一本の締結螺子１１６で固定する構成とすることにより、圧縮機１００の設置される向きに関わらず、締結螺子１１６により確実に電装箱が圧縮機の外郭に固定されるので、圧縮機の振動に強い圧縮機用電装箱を提供することができる。【選択図】図１
2013102588.tif 000002
【特許請求の範囲】
【請求項１】
圧縮機の本体に電気を供給するターミナルピンと、前記ターミナルピンを囲むように備えられたブラケットと、前記圧縮機を駆動する駆動回路と、前記ターミナルピンと前記駆動回路とを接続するクラスター部とを有する圧縮機用電装箱であって、前記ブラケットの両側面に締結螺子が貫通する貫通孔を設け、前記ブラケットの左右の貫通孔および前記圧縮機用電装箱の両側面に設けられた締結部を一本の締結螺子を用いて締結固定したことを特徴とする電装箱。
【請求項２】
前記圧縮機用電装箱の前記ブラケットに取り付ける前記締結螺子はタッピング螺子とした請求項１に記載の電装箱。
【請求項３】
前記圧縮機用電装箱の前記ブラケットに取り付ける前記締結螺子は、先端螺子部の径が首部の径より大きくした請求項１または請求項２に記載の電装箱。
【発明の詳細な説明】
【技術分野】
【０００１】
本発明は、冷蔵庫等に搭載される冷却システムの圧縮機を駆動する圧縮機用電装箱に関するものである。
【背景技術】
【０００２】
従来、パワーエレクトロニクスの進歩に伴い、冷却システムにはインバータ圧縮機が使用されている。例えば、冷蔵庫や空気調和機などにおいて、省エネルギーの目的でインバータ圧縮機が圧縮機用電装箱を介して使用され、機器の省エネルギーに大きく貢献している。
【０００３】
このような圧縮機用電装箱に置いて、圧縮機の外郭に取付けて構成する電装箱が提案されている（例えば特許文献１参照）。また、圧縮用電装箱を側面片側一方向より締結螺子にて圧縮機の外郭に固定されたものがある。（例えば、特許文献２参照）。
【０００４】
以下、図面を参照しながら従来の圧縮機用電装箱について説明する。
【０００５】
図７は特許文献１に記載された従来の圧縮機の斜視図、図８は従来の圧縮機用電装箱の構成図、図９は、従来の圧縮機用電装箱の圧縮機への取り付けを示した断面図である。
【０００６】
図７、図８、図９において、圧縮機１は圧縮機１に通電するターミナル部２と、前記ターミナル部２の周囲に圧縮機１に固着してなるブラケット４を有している。
【０００７】
ブラケット４は、電装箱６が直接取付けられるように側面に装着用の孔８が設けられている。
【０００８】
電装箱６には、ブラケット４に取り付けられるように固定部１１に突起部分１２を設けており、その固定部１１の突起部分１２がブラケット４の装着用孔８に勘合して固定される構造になっている。
【０００９】
クラスター部１４は、圧縮機１のターミナル部２と接続して電装箱６に内にある駆動回路１５に接続されている。
【００１０】
圧縮機１の温度を検出する温度検出手段１８は、ブラケット４に密着取付けされ、電装箱６に内にある駆動回路１５に接続されている。
【００１１】
以上のように構成された圧縮機用電装箱について、以下取り付け動作を説明する。
【００１２】
電装箱６の固定部１１内にあるクラスター部１４を圧縮機１に固着されているターミナル部２に圧入して接続する。
【００１３】
次に、温度検出手段１８をブラケット４に密着するように設置する。
【００１４】
次に、電装箱６を、圧縮機１に取付けられているターミナル部２と対抗する方向から、電装箱６の固定部１１の突起部分１２をブラケット４に水平に挿入してブラケット４の装着用孔８に勘合して装着され固定される。
【００１５】
図１０は特許文献２に記載された従来の圧縮機の斜視図、図１１は従来の圧縮機用電装
箱の取り付け状態の上面図である。
【００１６】
図１０、図１１において、圧縮機２０は、圧縮機２０に通電するターミナル部２２と、前記ターミナル部２２の周囲に圧縮機２０に固着してなるブラケット２４を有している。
【００１７】
ブラケット２４は、電装箱２６が直接取り付けられるように側面の片側に装着用の装着用孔２８が設けられており、さらにブラケット２４の上面には係止用の係止孔２９が設けられている。
【００１８】
電装箱２６には、ブラケット２４の係止孔２９に取り付けられるように突起部分３２を設けるとともに、側面には装着用の装着孔２８に取り付けられるように係止部３３を有している。電装箱２６の突起部分３２がブラケット２４の係止孔２９に取り付けられると同時に、ブラケット２４の装着用の装着用孔２８と係止部３３が係止用螺子３５により締結されることで固定される。
【先行技術文献】
【特許文献】
【００１９】
【特許文献１】特開２０００−３５７８９０号公報
【特許文献２】特開昭６３−２９０７４号公報
【発明の概要】
【発明が解決しようとする課題】
【００２０】
しかしながら、上記従来の構成では、特に電装箱内にパワー制御装置などの重量部品を圧縮機に取り付け、動作させた時に、圧縮機の振動によって、取り付け用の突起部部分が摩滅し、電装箱が圧縮機から外れる可能性があるという課題を有していた。
【００２１】
また、ブラケットの片側より締結螺子で固定した場合、特に樹脂製の電装箱とブラケットの微小な隙間が、電装箱を締結螺子でブラケットに取り付けた際に、反締結側のクリアランスが増大し、圧縮機の振動によって、びびり音などの圧縮機の騒音を増加してしまう課題も有していた。
【００２２】
本発明は、上記従来の課題を解決するもので、圧縮機の振動によって、電装箱のがたつきや外れることを防止し、電装箱が容易に外れない構造にすることによって、圧縮機の耐振動性の高い圧縮機用電装箱を提供することを目的としている。
【課題を解決するための手段】
【００２３】
上記従来の課題を解決するために、本発明の圧縮機用電装箱は圧縮機の本体に電気を供給するターミナルピンと、前記ターミナルピンを囲むように備えられたブラケットと、前記圧縮機を駆動する駆動回路と、前記ターミナルピンと前記駆動回路とを接続するクラスター部とを有する圧縮機用電装箱であって、前記ブラケットの両側面に締結螺子が貫通する貫通孔を設け、前記ブラケットの左右の貫通孔および前記圧縮機用電装箱の両側面に設けられた締結部を一本の締結螺子を用いて締結固定したことを特徴とするものである。
【００２４】
これによって、ブラケットと電装箱の間に微小なクリアランスが存在してもブラケットの両側を締結螺子の締結力により電装箱で挟み込むので、確実に固定することができるため圧縮機の振動が加わっても、容易に外れなくしたものである。
【発明の効果】
【００２５】
本発明の圧縮機用電装箱は前記ブラケット下側の両側面の貫通孔を貫通し、一本の締結螺子で圧縮機用電装箱の両側面に設けられた締結部を締結固定することで、圧縮機の設置
される向きを気にせずに設置できるとともに電装箱の両側面を確実に固定できるので、圧縮機の振動が加わっても、容易に外れない圧縮機用電装箱を提供することができる。
【図面の簡単な説明】
【００２６】
【図１】本発明の実施の形態における圧縮機用電装箱の分解斜視図
【図２】同実施の形態における圧縮機用電装箱を圧縮機に取付けた状態の側面図
【図３】同実施の形態における圧縮機用電装箱の圧縮機側の正面図
【図４】同実施の形態における圧縮機用電装箱の圧縮機側の斜視図
【図５】同実施の形態における圧縮機用電装箱の取り付け要部断面図
【図６】同実施の形態における締結螺子の拡大図
【図７】従来の圧縮機の斜視図
【図８】従来の圧縮機用電装箱の構成図
【図９】従来の圧縮機用電装箱の圧縮機への取り付けを示した断面図
【図１０】別の従来の圧縮機用電装箱の分解斜視図
【図１１】別の従来の圧縮機用電装箱の取り付け状態の上面図
【発明を実施するための形態】
【００２７】
第１の発明は、圧縮機の本体に電気を供給するターミナルピンと、前記ターミナルピンを囲むように備えられたブラケットと、前記圧縮機を駆動する駆動回路と、前記ターミナルピンと前記駆動回路とを接続するクラスター部とを有する圧縮機用電装箱であって、前記ブラケットの両側面に締結螺子が貫通する貫通孔を設け、前記ブラケットの左右の貫通孔および前記圧縮機用電装箱の両側面に設けられた締結部を一本の締結螺子を用いて締結固定したことを特徴とするものである。
【００２８】
これにより、圧縮機の設置される向きに関わらず、締結螺子の締結力により確実に電装箱が圧縮機の外郭に固定されるので、圧縮機の振動に強い圧縮機用電装箱を提供することができる。
【００２９】
第２の発明は、第１の発明において、締結螺子は、タッピング螺子とすることで、締結螺子の反挿入側の締結部にナットまたはネジ切り部を必要としないため、請求項１に記載の発明の効果に加えて、さらに圧縮機の設置される向きに関わらず固定できると共に、部品点数および作業工数を減らして確実に固定することができるのでさらに容易に外れない高信頼性の圧縮機用電装箱を提供することができる。
【００３０】
第３の発明は、第１または第２に記載の発明において、締結螺子は、先端螺子部の径が首部の径より大きくしたことで電装箱の両側面以外の貫通部では力が必要でないため取り付け作業性がよく、確実に固定することができるので高信頼性の圧縮機用電装箱を提供することができる。
【００３１】
以下、本発明の実施の形態について、図面を参照しながら説明する。なお、この実施の形態によってこの発明が限定されるものではない。
【００３２】
（実施の形態１）
図１は、本発明の実施の形態における圧縮機用の電装箱の分解斜視図を示している。
【００３３】
図２は、同実施の形態における圧縮機用の電装箱を圧縮機に取付けた状態の側面図を示している。
【００３４】
図３は、同実施の形態における圧縮機用電装箱の圧縮機側の正面図を示している。
【００３５】
図４は、同実施の形態における圧縮機用電装箱の圧縮機側の斜視図を示している。
【００３６】
図５は、同実施の形態における圧縮機用電装箱の取り付け要部断面図を示している。
【００３７】
図６は、同実施の形態における締結螺子の拡大図を示している。
【００３８】
図１から図６において、密閉型の圧縮機１００は、圧縮機１００の本体に電気を供給するガラス材料で絶縁されたターミナルピン１０２を有しており、鋼板などの鉄板の折り曲げ加工によって、上下にＬ字型のフランジ１１４と両側面の下側に一本の締結螺子１１６を貫通する貫通孔１１８ａ，１１８ｂを形成したブラケット１２０がターミナルピン１０２を囲むように圧縮機１００に固着されている。
【００３９】
変性ポリフェニレンエーテル樹脂等の樹脂により射出成形された電装箱１２２には、圧縮機１００側の開口部に、ブラケット１２０の上側のＬ字型のフランジ１１４部分に面で当るようにガイド部１２４と、ブラケット１２０の下側のＬ字型のフランジ１１４が納まるように凹部の収納部１２６と、ブラケット１２０の両側面の貫通孔を貫通し一本の長い締結螺子１１６を介して締結する締結部１８８ａ、１８８ｂを設けている。
【００４０】
ブラケット１２０に電装箱１２２を固定する一本の長い締結螺子１１６はタッピング螺子であり、先端螺子部１６６は首部１７７の径より大きい形状としている。
【００４１】
また、電装箱１２２の締結部１８８ａ，１８８ｂの孔径は、ブラケット１２０の締結部１８８ａ，１１８ｂの孔径より小さくなるよう構成されている。
【００４２】
また、電装箱１２２のブラケット１２０上側のＬ字型のフランジ１１４の折り曲げ部分の端部にかかる部分に電装箱１２２から伝わった水が、圧縮機１００のターミナルピン１０２に水が入り込むこむことを防止する為に、カバー部１２８を設けている。
【００４３】
また、ブラケット１２０の両側面を電装箱１２２の内側の面で支える構造を有して密閉構造を構成している。
【００４４】
さらに、圧縮機１００に通電するターミナルピン１０２と圧縮機１００を駆動する駆動回路１３０とを接続するクラスター部１３２が接続され、クラスター部１３２の電装箱１２２に面する位置にクラスター押え部１３４が電装箱１２２に設けられている。
【００４５】
また、クラスター押え部１３４の近傍には、圧縮機１００の温度を検出する温度検出手段１３８用の固定用ガイド１３６が電装箱１２２に設けられており、その固定用ガイド１３６に温度検出手段１３８が挿入され、ブラケット１２０に密着に取付けられ、電装箱１２２の内にある駆動回路１３０に接続されている。
【００４６】
また、固定用ガイド１３６は、温度検出手段１３８の形状に合せて圧縮機用の電装箱１２２側に移動しないようにストッパー構造と温度検出手段１３８が回転しないように廻り止めの構造を有している。
【００４７】
さらに、圧縮機１００と反対側の開口部には、ガラス布・ガラス不織布エポキシ樹脂に銅箔パターンが表面に形成され、複数の電子部品１４０とその電子部品１４０の熱を放熱する放熱器１４２がはんだ付け実装されることによって形成された駆動回路１３０が収納され、螺子１４６で固定されている。
【００４８】
その駆動回路１３０は、圧縮機１００側の開口部に設置されているクラスター部１３２
と圧縮機１００の温度を検出する温度検出手段１３８とが、それぞれの接続線が電装箱１２２の内部を通って圧縮機１００と反対側の開口部側に設置された駆動回路１３０に接続されている。
【００４９】
圧縮機１００と反対側の開口部をアルミプレート１４４と螺子１４６を用いて閉口されるようになっている。
【００５０】
その際、アルミプレート１４４は、駆動回路１３０に実装された電子部品１４０の熱を放熱する放熱器１４２をマイカなどの絶縁シートを介して接触しており、放熱器として熱を外部に放熱できるようになっている。
【００５１】
電装箱１２２には駆動回路１３０に電源を供給する電源コード（図示せず）と外部から圧縮機１００の回転数を指示する信号を供給する外部信号コード（図示せず）が接続されている。
【００５２】
以上のように構成された圧縮機用電装箱において、以下に圧縮機に組み立てる動作について説明する。
【００５３】
電装箱１２２内にあるクラスター部１３２を圧縮機１００に固着されているターミナルピン１０２に圧入して接続する。
【００５４】
電装箱１２２を、圧縮機１００に固着されている上下にＬ字型のフランジ１１４を設けたブラケット１２０に取付ける際、電装箱１２２を、圧縮機１００に取付けられているターミナルピン１０２と対抗する方向から、ブラケット１２０の上側のＬ字型のフランジ１１４を覆い被せるように挿入し、ブラケット１２０の下側のＬ字型のフランジ１１４が電装箱１２２のターミナルピン１０２と対抗する面に当ててから、ブラケット１２０の上側のＬ字型のフランジ１１４部分が電装箱１２２のガイド部１２４に面で当るようにし、ブラケット１２０の下側のＬ字型のフランジ１１４が電装箱１２２の収納部１２６に収納できるように、電装箱１２２をさげて、ブラケット１２０に電装箱１２２を装着する。
【００５５】
電装箱１２２はブラケット１２０に固定するために、ブラケット１２０の両側面の下側に設けられた貫通孔１１８ａ、１１８ｂを貫通し、電装箱１２２の締結部１８８ａ、１８８ｂを一本の長い締結螺子１１６で締結固定することで組み立てられる。
【００５６】
この際、ブラケット１２０の両側面と電装箱１２２の間にクリアランスがあるため、電装箱１２２の締結部１８８ａ側のみを締結すると、締結側のクリアランスがなくなるが、電装箱１２２内面とブラケット１２０の両側面が平行でないと締結側の締結部を起点として回転方向に電装箱１２２が傾く。
【００５７】
その結果、反締結部側にブラケット１２０の側面と電装箱１２２の内側面が面で接触せずに線接触や点接触となり、電装箱１２２のブラケット１２０への固定が不安定となり圧縮機１００の振動によってがたつきが発生する可能性があるが、本実施の形態においては長い締結螺子１１６で電装箱１２２の締結部１８８ａを締結すると共に、ブラケット１２０の貫通孔１１８ａ、１１８ｂを通り、反挿入側の電装箱１２２の締結部１８８ｂを同時に締結することで、締結力により電装箱１２２の両側面がブラケット１２０の両側面を挟み込むように完全に固定されるため、電装箱１２２のがたつきや外れることを防止することができる。
【００５８】
また、締結螺子１１６をタッピング螺子を用い、先端螺子部１６６を首部１７７の径より大きくしていることで、電装箱１２２の締結部１８８ａまたは１８８ｂにねじ切りなど
をする必要が無く、電装箱１２２の締結開始時と終了時のみトルクがかかることになり、作業性がよい。
【００５９】
また、電装箱１２２の締結部１８８ａまたは１８８ｂのどちらからも締結螺子１１６により締結することができるため、冷蔵庫に圧縮機１００を取付ける際、電装箱１２２が左右どちらに設置される状況に合わせて設置できることができる。
【００６０】
以上のように本実施の形態においては、圧縮機１００の振動が上下左右に加わったとしても、電装箱１２２のブラケット１２０側の開口部が、ブラケット１２０によって閉口されることによって、圧縮機１００のブラケット１２０に密閉構造を形成し、がたつきがなく外れることを防止できるので、圧縮機１００の振動に強い圧縮機用の電装箱１２２を提供することができる。
【産業上の利用可能性】
【００６１】
以上のように、本発明にかかる圧縮機用電装箱は、圧縮機の振動によるがたつきや外れることを防止するとともに、圧縮機の設置方向に関係なく両側面を一本の締結螺子の締結力により固定できるので、設置作業の汎用性が高く、振動に強い電装箱を提供できるので、冷蔵庫、空調調和機等の圧縮機用電装箱に適用することができる。
【符号の説明】
【００６２】
１００  圧縮機
１０２  ターミナルピン
１１４  フランジ
１１６  締結螺子
１１８ａ、１１８ｂ  貫通孔
１２０  ブラケット
１２２  電装箱
１２４  ガイド部
１２６  収納部
１３０  駆動回路
１３２  クラスター部
１３８  温度検出手段
１８８ａ、１８８ｂ  締結部
１６６  先端螺子部
１７７  首部
【図１】
2013102588.tif 000003
【図２】
2013102588.tif 000004
【図３】
2013102588.tif 000005
【図４】
2013102588.tif 000006
【図５】
2013102588.tif 000007
【図６】
2013102588.tif 000008
【図７】
2013102588.tif 000009
【図８】
2013102588.tif 000010
【図９】
2013102588.tif 000011
【図１０】
2013102588.tif 000012
【図１１】
2013102588.tif 000013